(57)【要約】【課題】バッテリの円滑な移載を行うことができるとともに、バッテリの確実な固定を行うことのできる電動式荷役車両を提供することを目的とする。【解決手段】車両２の側部フレーム１４に、車両のバッテリ収納部に収納されたバッテリ１２を係止する係止部材２０を上下動可能に設けるとともに、この係止部材２０がバッテリ収納部の底部から上方へ突出するように付勢する付勢部材２１を設け、バッテリ移載装置に設けられた位置決めフック１７が車両の側部フレーム１４に係合させられる際に、この位置決めフック１７により係止部材２０が押し下げられて、バッテリの係止が解除されるようにする。【選択図】　　図２
2004026449.tif 000002
【特許請求の範囲】
【請求項１】
バッテリ移載装置との間でバッテリの受け渡しが可能とされた電動式荷役車両であって、前記車両の側部フレームに、前記車両のバッテリ収納部に収納された前記バッテリを係止する係止部材を上下動可能に設けるとともに、この係止部材が前記バッテリ収納部の底部から上方へ突出するように付勢する付勢部材を設け、前記バッテリ移載装置に設けられた位置決めフックが前記車両の側部フレームに係合させられる際に、この位置決めフックにより前記係止部材が押し下げられて、前記バッテリの係止が解除されるようになされていることを特徴とする電動式荷役車両。
【発明の詳細な説明】
【０００１】
【発明の属する技術分野】
本発明は、バッテリ移載装置によるバッテリの移載が可能な電動式荷役車両に関するものである。
【０００２】
【従来の技術】
従来、電動式荷役車両の一種として、図３に示す構造の電動式フォークリフトが知られている。このフォークリフト１は、車両本体２と、この車両本体２の前部に設けられたマスト３と、このマスト３に昇降可能に設けられ、荷物の上げ下ろしを行う作業具としての左右一対のフォーク４と、マスト３に設けられ、前記フォーク４の昇降をなすリフトシリンダ５と、車両本体２の前方下部に設けられた左右一対の前輪６と、車両本体２の後方下部に設けられた左右一対の後輪７とを備えている。車両本体２の略中央上部には、運転席８が設けられ、この運転席８の前方にはフォークリフト１の走行方向を調整するステアリングハンドル９が設けられ、運転席８の上方にはヘッドガード１０が設けられている。そして、このフォークリフト１は、走行や荷役作業の駆動源としてバッテリ１１を用いており、このバッテリ１１を格納したバッテリケース１２が、運転席８の下方に設けられたバッテリ収納部に収納されるようになっている。
【０００３】
前記バッテリ収納部の側部は、バッテリ交換のための開口部１３が、図４に示すように形成され、この開口部１３の下部に、車両本体２を構成する側部フレーム１４が配設されている。また、開口部１３の側部には、バッテリケース１２の端面に当接させられて、このバッテリケース１２の落下を防止するストッパ１５が設けられている。バッテリ１１を交換する場合にあっては、この開口部１３の側方にバッテリ移載装置を設置し、バッテリケース１２とストッパ１５との係合を開放した後に、バッテリ１１をバッテリ移載装置によりバッテリケース１２とともにバッテリ１１を移載することが行われる。
【０００４】
バッテリ移載装置にはバッテリケース１２を載置するための架台１６が具備されており、この架台１６には、例えば図４に示すように、移載時のずれを防止するために車両本体２の側部フレーム１４の上端部に係合させられる位置決めフック１７が設けられているとともに、架台１６の上面に、回転自在なローラ１８が多数設けられている。
【０００５】
【発明が解決しようとする課題】
フォークリフト１からバッテリ１１をバッテリケース１２とともに移載するには、まず、図４に示すように、位置決めフック１７を側部フレーム１４に上方から係合させて架台１６を車両本体２に対して固定し、ついで、ストッパ１５を開放した上で、バッテリケース１２を車両本体２のバッテリ収納部から引き出し、架台１６上へ移動させる作業を行う。
【０００６】
しかしながら、このような従来の方法によってバッテリ１１の移載を行う場合、つぎのような改善すべき問題点が残されている。すなわち、バッテリ１１の移載に際してはストッパ１５を開放する手間がかかるといった問題点である。また、バッテリ移載装置から車両本体２のバッテリ収納部へのバッテリケース１２の移載後に、ストッパ１５によりバッテリケース１２の係止させるのを忘れてしまうことが想定され、そのままの状態で荷役作業を行うとバッテリケース１２の不要な動きを招いてしまうといった問題点もある。
【０００７】
本発明は、かかる問題点に鑑み、バッテリの円滑な移載を行うことができるとともに、バッテリの確実な固定を行うことのできる電動式荷役車両を提供することを目的とする。
【０００８】
【課題を解決するための手段】
前述した目的を達成するために、本発明の請求項１記載の電動式荷役車両は、バッテリ移載装置との間でバッテリの受け渡しが可能とされた電動式荷役車両であって、前記車両の側部フレームに、前記車両のバッテリ収納部に収納された前記バッテリを係止する係止部材を上下動可能に設けるとともに、この係止部材が前記バッテリ収納部の底部から上方へ突出するように付勢する付勢部材を設け、前記バッテリ移載装置に設けられた位置決めフックが前記車両の側部フレームに係合させられる際に、この位置決めフックにより前記係止部材が押し下げられて、前記バッテリの係止が解除されるようになされていることを特徴とする。
【０００９】
【発明の実施の形態】
以下、本発明の一実施形態について図１および図２を参照して説明する。
本実施形態は、本発明を電動式荷役車両の一種である電動式フォークリフトに適用したものであり、電動式フォークリフトの主要構成部については図３と共通することから、図３を用いて説明する。
【００１０】
本実施形態に係るフォークリフトは、図１に示すように、車両本体２に設けられたバッテリ収納部の側部がバッテリ交換のための開口部１３とされ、この開口部１３の下部に、車両本体２を構成する側部フレーム１４が配設されている。そして、図２に示すように、側部フレーム１４の内側には、バッテリ収納部の底部から上方へ突出させられて、バッテリ１１が格納されたバッテリケース１２を係止する係止部材２０を設けるとともに、この係止部材２０を上方へ付勢してバッテリケース１２を係止する位置とする付勢部材２１を設けてある。
【００１１】
係止部材２０は、付勢部材２１によって上方へ付勢されることにより、図２に示すように、その先端部が、前記開口部１３の下端部よりも上方へ位置させられることにより、バッテリケース１２の下部に対向させられて、このバッテリケース１２との係合により、このバッテリケース１２の開口部１３側への移動、ひいては開口部１３からの落下を防止するようになっている。
【００１２】
バッテリケース１２を取り出す場合には、図１に示すように、バッテリ移載装置の架台１６を持ち上げた状態で、その端部を前記開口部１３の下部に対向位置させるとともに、バッテリ移載装置の位置決めフック１７を、図２に示すように、係止部材２０の上方に対向位置させる。これより、架台１６を下降させると、位置決めフック１７も同様に下降させられることにより、係止部材２０を付勢部材２１の付勢力に抗して押し下げ、最下降位置において側部フレーム１４の上方に係合させられる。この状態において、係止部材２０の先端部は開口部１３の下端より下方に移動させられる。これによって、係止部材２０とバッテリケース１２との係合が解除され、バッテリケース１２は架台１６上へ円滑に移載される。
【００１３】
また、バッテリケース１２を積み込む場合には、バッテリケース１２が搭載された架台１６を前記開口部１３の下部に対向位置させた状態で、位置決めフック１７を側部フレーム１４の上部に係合させるように移動させることにより、係止部材２０を押し下げて開口部１３が開放される。これによって、容易に積み込むことができる。そして、積み込みが完了し、架台１６を持ち上げて位置決めフック１７を側部フレーム１４から取り外すと、係止部材２０が付勢部材２１によって上方へ押し上げられて、バッテリケース１２の下部に対向させられることにより、このバッテリケース１２の開口部１３側への過度の移動が防止される。
【００１４】
このように、本実施形態においては、架台１６を車両本体２の側部フレーム１４の上方に係脱させる動作によって、係止部材２０による係合やその解除を行うことができ、車両本体２の構成部材の損傷を確実に防止し、かつ、搭載されたバッテリケース１２の過度の位置ずれを確実に防止することができる。
【００１５】
なお、前記実施形態は一例であって、設計要求あるいは適用する荷役車両の構造等に基づき種々変更可能である。
【００１６】
【発明の効果】
以上説明したように、本発明の請求項１に記載の電動式荷役車両によれば、バッテリ移載装置の位置決めフックを側部フレームに係脱する動作によって、バッテリと、このバッテリの落下を防止する係止部材との係脱を行うことにより、円滑な移載作業を行うことができる。また、位置決めフックが側部フレームから外されると、付勢部材により係止部材が付勢されて、バッテリと係止部材との係合が確実に行われる。
【図面の簡単な説明】
【図１】本発明の一実施形態を示す要部の斜視図である。
【図２】本発明の一実施形態を示す要部の縦断面図である。
【図３】電動式荷役車両の一種である電動式フォークリフトを示す側面図である。
【図４】従来のバッテリ移載方法を説明するための要部の斜視図である。
【符号の説明】
１　フォークリフト
２　車両本体
１１　バッテリ
１２　バッテリケース
１３　開口部
１４　側部フレーム
１６　架台
１７　位置決めフック
１８　ローラ
１９　操作盤
２０　係止部材
２１　付勢部材
【図１】
2004026449.tif 000003
【図２】
2004026449.tif 000004
【図３】
2004026449.tif 000005
【図４】
2004026449.tif 000006